(57)【要約】【課題】無線通信に適した冷蔵庫を提供する。【解決手段】冷蔵室を有する本体１１０と、冷蔵室を開閉可能に、連結部材１６０を介して本体１１０に取り付けられる扉１２０と、扉１２０に取り付けられる無線通信用のアンテナ１５１，１５２，１５３と、を備える冷蔵庫１００が提供される。好ましくは、アンテナ１５１，１５２，１５３は、連結部材１６０よりも前方に取り付けられる。好ましくは、アンテナ１５１，１５２，１５３は、連結部材１６０よりも上方に取り付けられる。【選択図】図１
2018096566.tif 000002
【特許請求の範囲】
【請求項１】
冷蔵室を有する本体と、
前記冷蔵室を開閉可能に、連結部材を介して前記本体に取り付けられる扉と、
前記扉に取り付けられる無線通信用のアンテナと、を備える冷蔵庫。
【請求項２】
前記アンテナは、前記連結部材よりも前方に取り付けられる、請求項１に記載の冷蔵庫。
【請求項３】
前記アンテナは、前記連結部材よりも上方に取り付けられる、請求項１または２に記載の冷蔵庫。
【請求項４】
前記アンテナが指向特性を有し、前記アンテナの電波強度が前記連結部材の方向に弱い、請求項１から３のいずれか１項に記載の冷蔵庫。
【請求項５】
前記扉は鋼板を含み、
前記アンテナは前記鋼板よりも上方に取り付けられる、請求項１から４のいずれか１項に記載の冷蔵庫。
【請求項６】
前記扉はパッキンを含み、
前記アンテナは、前記パッキンよりも上方に取り付けられる、請求項１から５のいずれか１項に記載の冷蔵庫。
【請求項７】
前記アンテナは前記扉の裏側に配置され、
前記扉には全体的に金属層が施され、
前記扉の前記アンテナの前方部分は、前記金属層が施されず、非金属性の化粧材でカバーされる、請求項１から６のいずれか１項に記載の冷蔵庫。
【発明の詳細な説明】
【技術分野】
【０００１】
本発明は、冷蔵庫の技術に関し、特に外部の装置と無線通信をすることができる冷蔵庫の技術に関する。
【背景技術】
【０００２】
従来から、無線通信可能な冷蔵庫が知られている。たとえば、特開２０１５−３４６７７号公報（特許文献１）には、冷蔵庫及び家電連携システムが開示されている。より詳細には、特許文献１によると、冷蔵庫は、貯蔵室を備える筐体と、筐体に設置され、貯蔵室を開閉する扉と、筐体と扉とを接続し、扉を開閉自在に軸支するヒンジと、筐体に着脱自在に取り付けられ、ヒンジを覆う非導電性のヒンジカバーと、ヒンジカバー上に設置され、電波を送受信するアンテナ部を備える無線アダプタと、を有する。
【先行技術文献】
【特許文献】
【０００３】
【特許文献１】特開２０１５−３４６７７号公報
【発明の概要】
【発明が解決しようとする課題】
【０００４】
本発明は、無線通信に適した冷蔵庫を提供することを目的とする。
【課題を解決するための手段】
【０００５】
この発明のある態様に従うと、冷蔵室を有する本体と、冷蔵室を開閉可能に、連結部材を介して本体に取り付けられる扉と、扉に取り付けられる無線通信用のアンテナと、を備える冷蔵庫が提供される。
【０００６】
好ましくは、アンテナは、連結部材よりも前方に取り付けられる。
【０００７】
好ましくは、アンテナは、連結部材よりも上方に取り付けられる。
【０００８】
好ましくは、アンテナが指向特性を有し、アンテナの電波強度が連結部材の方向に弱い。
【０００９】
好ましくは、扉は鋼板を含む。アンテナは鋼板よりも上方に取り付けられる。
【００１０】
好ましくは、扉はパッキンを含む。アンテナは、パッキンよりも上方に取り付けられる。
【００１１】
好ましくは、アンテナは扉の裏側に配置される。扉には全体的に金属層が施される。扉のアンテナの前方部分は、金属層が施されず、非金属性の化粧材でカバーされる。
【発明の効果】
【００１２】
このように、本発明によれば、無線通信に適した冷蔵庫が提供されるようになる。
【図面の簡単な説明】
【００１３】
【図１】第１の実施の形態にかかる冷蔵庫１００の外観を示す正面図である。
【図２】第１の実施の形態にかかる冷蔵庫１００の扉１２０の背面斜視図である。
【図３】第１の実施の形態にかかる冷蔵庫１００の扉１２０の側面斜視図である。
【図４】第１の実施の形態にかかる制御装置１３０とアンテナ１５１，１５２とを示す正面図である。
【図５】第１の実施の形態にかかるアンテナ１５１，１５２近傍の背面斜視図である。
【図６】第１の実施の形態にかかる冷蔵庫１００の扉１２０の側面断面図である。
【図７】第２の実施の形態にかかる冷蔵庫１００の扉１２０の第１例の側面断面図である。
【図８】第２の実施の形態にかかる冷蔵庫１００の扉１２０の第２例の側面断面図である。
【図９】第２の実施の形態にかかる冷蔵庫１００の扉１２０の第３例の側面断面図である。
【図１０】第２の実施の形態にかかる冷蔵庫１００の扉１２０の第４例の側面断面図である。
【図１１】第３の実施の形態にかかるアンテナ１５１の第１の配置方法を示す扉１２０の背面斜視図である。
【図１２】第３の実施の形態にかかるアンテナ１５１の第１の配置方法の電波を示す平面図である。
【図１３】第３の実施の形態にかかるアンテナ１５１の第２の配置方法の電波を示す平面図である。
【図１４】第４の実施の形態にかかるアンテナ１５１の配置方法を示す扉１２０の背面斜視図である。
【図１５】第４の実施の形態にかかるアンテナ１５１と鋼板１２８を示す扉１２０の背面斜視図である。
【発明を実施するための形態】
【００１４】
以下、図面を参照しつつ、本発明の各実施形態について説明する。以下の説明では、同一の部品には同一の符号を付してある。それらの名称および機能も同じである。したがって、それらについての詳細な説明は繰り返さない。
［第１の実施の形態］
【００１５】
本実施の形態にかかる冷蔵庫１００は、図１に示すように、正面に少なくとも１枚の扉が取り付けられている。扉１２０は、連結部材１６０を介して、本体１１０に対して回動可能に構成される。すなわち、扉１２０が連結部材１６０を軸にして回動することによって、冷蔵庫１００の冷蔵室すなわち収納スペースが解放されたり閉じられたりする。
【００１６】
以下では、無線用のアンテナの取り付け方法に関して説明する。図２は本実施の形態にかかる冷蔵庫１００の扉１２０の背面斜視図である。図３は本実施の形態にかかる冷蔵庫１００の扉１２０の側面斜視図である。図４は本実施の形態にかかる制御装置１３０とアンテナ１５１，１５２とを示す正面図である。図５は本実施の形態にかかるアンテナ１５１，１５２近傍の背面斜視図である。図６は本実施の形態にかかる冷蔵庫１００の扉１２０の側面断面図である。
【００１７】
図２〜図６を参照して、本実施の形態においては、扉１２０には、制御装置１３０と複数種類の周波数帯の無線通信アンテナ１５１，１５２とが取り付けられる。制御装置１３０は、ディスプレイ１３３や図示しないプロセッサやメモリなどを有する。制御装置１３０は、ディスプレイ１３３の画面が扉１２０の正面から見えるように、扉１２０に取り付けられる。
【００１８】
制御装置１３０は、配線１４２Ｌを介して２．４ＧＨｚアンテナ１５１と接続され、配線１４２Ｒを介して５ＧＨｚアンテナ１５２に接続される。なお、配線１４２Ｌ，１４２Ｒは、それぞれが、扉１２０の筐体内に注入される断熱発泡剤１２９を貫通するチューブ１４１Ｌ，１４１Ｒを通って、２．４ＧＨｚアンテナ１５１と５ＧＨｚアンテナ１５２から制御装置１３０のコネクタ部１３１，１３１まで延設される。
【００１９】
そして、本実施の形態においては、アンテナ１５１，１５２が、本体１１０の連結部材（金属ヒンジ）１６０よりも前方に取り付けられる。連結部材１６０は、扉１２０に連結される回動軸１６３と、回動軸１６３を本体１１０に連結するための取り付け部材１６２とから構成される。そして、取り付け部材１６２などの連結部材１６０は、天井カバー１１１によって覆われている。
【００２０】
また、本実施の形態においては、図６に示すように、アンテナ１５１，１５２は、取り付け部材１６２などの連結部材１６０よりも上方に取り付けられる。
【００２１】
換言すれば、図２に示すように、アンテナ１５１，１５２は、連結部材１６０の回動軸１６３が枢支される軸孔１２７よりも、前方に配置される。そして、アンテナ１５１，１５２は、軸孔１２７よりも、上方に配置される。
【００２２】
これによって、本実施の形態においては、アンテナ１５１，１５２の電波が、金属の取り付け部材１６２および回動軸１６３に影響される可能性を低減することができる。より詳細には、アンテナ１５１，１５２が、本体１１０の連結部材１６０の取り付け部材１６２および回動軸１６３よりも前方に取り付けられることによって、冷蔵庫１００の左右方向にある他の通信端末との通信が取り付け部材１６２および回動軸１６３によって干渉される可能性を低減することができる。
【００２３】
また、アンテナ１５１，１５２が、取り付け部材１６２および回動軸１６３などの連結部材１６０よりも上方に取り付けられることによって、アンテナ１５１，１５２と他の通信端末との間に取り付け部材１６２および回動軸１６３が位置する可能性が低くなるため、通信が取り付け部材１６２および回動軸１６３によって邪魔される可能性を低減することができる。
［第２の実施の形態］
【００２４】
冷蔵庫１００の中には、図７に示すように、扉１２０のガラス板１２２の裏側に、金属蒸着フィルムなどの金属層１２４が施される場合がある。そこで、本実施の形態においては、図８に示すように、扉１２０のガラス板１２２のうち、アンテナ１５１，１５２の前方部分に、金属層１２４を施さないようにする。
【００２５】
これによって、アンテナ１５１，１５２で利用される電波が、金属層１２４によって、干渉を受ける可能性を低減することができる。
【００２６】
ただし、この場合は、アンテナ１５１，１５２の前方部分の意匠だけが、他の部分と異なってしまうおそれがある。そのため、当該問題を回避するために、図９に示すように、金属層１２４がない部分だけに、電波に干渉しにくい非金属性インク、すなわち樹脂製インク１２６など、によって金属層１２４と同様の意匠を施すことが好ましい。
【００２７】
あるいは、当該問題を回避するために、図１０に示すように、金属層１２４がない部分の前方だけに、電波に干渉しにくいプレート１２５などによって別の意匠を施すことが好ましい。
［第３の実施の形態］
【００２８】
第１の実施の形態では、図５に示すように、アンテナ１５１，１５２を、扉１２０と平行に、扉１２０に貼り付けるものであった。しかしながら、図１１に示すように、アンテナ１５１，１５２は、扉１２０と垂直に、水平状態で、扉１２０に貼り付けてもよい。
【００２９】
より詳細には、アンテナ１５１，１５２からの電波強度に指向特性がある場合は、図１２に示すように、取り付け部材１６２などの連結部材１６０の方向に、電波強度が弱くなるように、アンテナ１５１，１５２を配置することが好ましい。なお、図１２の楕円形の実線は、アンテナ１５１，１５２の電波強度を示す。
【００３０】
なお、図１１に示すようにアンテナ１５２，１５２を水平に配置する場合には、電波のループが扉１２０の上下方向に８の字となる指向特性を有することになるため、比較的背の低い冷蔵庫など、アンテナ１５２，１５２の設置位置が低い場合に有用である。
【００３１】
あるいは、図１３に示すように、扉１２０と平行な方向の、連結部材１６０が配置されている方向の電波強度が弱くなるように、アンテナ１５１，１５２を配置することが好ましい。なお、図１３の楕円形の実線は、アンテナ１５１，１５２の電波強度を示す。
［第４の実施の形態］
【００３２】
第１の実施の形態では、図２に示すように、２．４ＧＨｚ用のアンテナ１５１と５ＧＨｚ用のアンテナ１５２とが扉１２０に取り付けられる。ただし、図１４に示すように、複数の周波数帯域を切り替え可能な１つのアンテナ１５３が扉１２０に取り付けられてもよいし、１つの周波数帯を有する１つのアンテナ１５３だけが扉１２０に取り付けられてもよい。また、３種類以上の周波数のそれぞれのアンテナが扉１２０に取り付けられてもよい。
［第５の実施の形態］
【００３３】
また、図１５に示すように、扉１２０は、その強度を維持するために鋼板１２８が取り付けられることが多い。この場合は、２．４ＧＨｚ用のアンテナ１５１と５ＧＨｚ用のアンテナ１５２またはＧＨｚを切り替え可能なアンテナ１５３などは、扉１２０の鋼板１２８よりも、上方に位置することが好ましい。
【００３４】
これによって、アンテナ１５１，１５２，１５３で利用される電波が、鋼板１２８によって、干渉を受ける可能性を低減することができる。
【００３５】
なお、鋼板１２８に限らず、他の金属部材の上方や前方などにアンテナ１５１，１５２，１５３を配置することが好ましい。
［第６の実施の形態］
【００３６】
通常、冷蔵庫１００に関しては、図６に示すように、扉１２０の、本体１１０との接触部分にパッキン１２３が取り付けられている。通常、パッキン１２３には磁石が内在し、パッキン１２３に対向する冷蔵庫本体１１０の面には鉄などの強磁性体が設けられて、パッキン１２３を吸着することで、冷蔵庫の断熱性能を確保している。一方で、磁石や強磁性体は電磁波に影響を及ぼす。そこで、扉１２０のうちの、パッキン１２３の上方および／または前方に、アンテナ１５１，１５２，１５３を配置することが好ましい。これによって、冷蔵庫１００の断熱性能を損なわずに、アンテナ１５１，１５２，１５３で利用される電波が、他の部材によって、干渉を受ける可能性を低減することができる。
＜まとめ＞
【００３７】
上述の第１から第６の実施形態では、冷蔵室を有する本体１１０と、冷蔵室を開閉可能に、連結部材１６０を介して本体１１０に取り付けられる扉１２０と、扉１２０に取り付けられる無線通信用のアンテナ１５１，１５２，１５３と、を備える冷蔵庫１００が提供される。
【００３８】
好ましくは、アンテナ１５１，１５２，１５３は、取り付け部材１６２などの連結部材１６０よりも前方に取り付けられる。
【００３９】
好ましくは、アンテナ１５１，１５２，１５３は、連結部材１６０よりも上方に取り付けられる。
【００４０】
好ましくは、アンテナ１５１，１５２，１５３が指向特性を有し、アンテナ１５１，１５２，１５３の電波強度が連結部材１６０の方向に弱い。
【００４１】
好ましくは、扉１２０は鋼板１２８を含む。アンテナ１５１，１５２，１５３は鋼板１２８よりも上方に取り付けられる。
【００４２】
好ましくは、扉１２０はパッキン１２３を含む。アンテナ１５１，１５２，１５３は、パッキン１２３よりも上方に取り付けられる。
【００４３】
好ましくは、アンテナ１５１，１５２，１５３は扉１２０の裏側に配置される。扉１２０には全体的に金属層１２４が施される。扉１２０のアンテナ１５１，１５２，１５３の前方部分は、金属層１２４が施されず、非金属性の化粧材１２５でカバーされる。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００４５】
１００    ：冷蔵庫
１１０    ：本体
１１２    ：取り付け部材
１１３    ：回動軸
１２０    ：扉
１２２    ：ガラス板
１２３    ：パッキン
１２４    ：金属層
１２５    ：プレート
１２６    ：樹脂製インク
１２７    ：軸孔
１２８    ：鋼板
１２９    ：断熱発泡剤
１３０    ：制御装置
１３１    ：コネクタ部
１３３    ：ディスプレイ
１４１Ｌ  ：チューブ
１４１Ｒ  ：チューブ
１４２Ｌ  ：配線
１４２Ｒ  ：配線
１５１    ：２．４ＧＨｚアンテナ
１５２    ：５ＧＨｚアンテナ
１５３    ：アンテナ
１６０    ：連結部材
１６２    ：取り付け部材
１６３    ：回動軸
【図１】
2018096566.tif 000003
【図２】
2018096566.tif 000004
【図３】
2018096566.tif 000005
【図４】
2018096566.tif 000006
【図５】
2018096566.tif 000007
【図６】
2018096566.tif 000008
【図７】
2018096566.tif 000009
【図８】
2018096566.tif 000010
【図９】
2018096566.tif 000011
【図１０】
2018096566.tif 000012
【図１１】
2018096566.tif 000013
【図１２】
2018096566.tif 000014
【図１３】
2018096566.tif 000015
【図１４】
2018096566.tif 000016
【図１５】
2018096566.tif 000017